(57)【特許請求の範囲】
【請求項１】
イヤホンのイヤーピースにおいて、
中空管体であって、一端が出音端と他端が入音端とされ、該入音端よりイヤホン本体に延設された音筒部が挿入並びに嵌合される、上記中空管体と、
外カバーであって、該中空管体の該出音端の外側より後ろ向きに延設されてカバー状を呈する弾性体とされる上記外カバーと、
緩衝部であって、該中空管体の、該音筒部との該嵌合部分と該外カバーが延設された部分の間に設けられ、互いに隣接する内環状溝と外環状溝で形成され、該内環状溝が第１内環状溝と第２内環状溝を包含し、且つ該外環状溝は該第１内環状溝と該第２内環状溝の間に位置する上記緩衝部と、
を包含することを特徴とする、イヤホンのイヤーピース。
【請求項２】
請求項１記載のイヤホンのイヤーピースにおいて、該緩衝部の湾曲可能角度は０〜４０度であることを特徴とする、イヤホンのイヤーピース。
【請求項３】
請求項１記載のイヤホンのイヤーピースにおいて、該外環状溝の高さが０．５〜１．５ｍｍであることを特徴とする、イヤホンのイヤーピース。
【請求項４】
請求項３記載のイヤホンのイヤーピースにおいて、該外環状溝の内径は該中空管体の内径より小さいことを特徴とする、イヤホンのイヤーピース。
【請求項５】
請求項３記載のイヤホンのイヤーピースにおいて、該イヤーピースの高さが６〜１０ｍｍとされることを特徴とする、イヤホンのイヤーピース。
【請求項６】
請求項５記載のイヤホンのイヤーピースにおいて、該外カバーが円弧状或いは傘形状を呈することを特徴とする、イヤホンのイヤーピース。
【請求項７】
請求項６記載のイヤホンのイヤーピースにおいて、該中空管体の入音端の内壁に、イヤホン本体に延設された音筒部の凸環を係止するための係止環状溝が設けられたことを特徴とする、イヤホンのイヤーピース。
【発明の詳細な説明】
【技術分野】
【０００１】
本発明は一種のイヤホンのイヤーピースに係り、特にイヤーピースに緩衝部が設けられ、これにより装着時にねじれ変形して耳道にフィットし、圧迫感を減らし装着感を良好とし、並びに空隙を減らして聴取品質を高めるイヤーピースに関する。
【背景技術】
【０００２】
イヤープラグ式のイヤホン構造の体積は小さく、発声器が直接耳孔中に挿入されるため、使用者は周りの人に迷惑をかけずにデジタル音声を聴取でき、コンパクトで軽量であり、携帯に便利な実用性を有するため、すでにＭＰ３プレイヤー、携帯電話、ＰＤＡ或いはノートパソコン等の関係電子製品の必要なアクセサリとなっている。
【０００３】
図９に示されるように、周知のイヤープラグ式イヤホン構造は、イヤホン本体１とイヤーピース２で構成され、イヤホン本体１の側辺は外向きに延伸されて音筒部１１が設けられている。イヤーピース２はクラゲ形を呈し、軟質ゴム材質で音筒部１１頸部及び凸環１１１に嵌合される。軟質ゴム材質のイヤーピース２は適度に変形して外耳道３を緊密に塞ぎ、装着に便利とされる。
【発明の概要】
【発明が解決しようとする課題】
【０００４】
周知のとおり、各個人の音声に対する感受性は異なり、且つ耳朶、耳道構造の形状、サイズはいずれも異なるが、既存の周知のプラグ式イヤホン構造は、イヤーピースの緩衝機能及び角度調整設計上、いまだ完全ではなく、ゆえに、一般の応用時に外耳道の圧迫感が増し、比較的大きな耳朶に装着する時に、イヤーピースが外耳道に真に緊密にフィットせず空隙を発生して低音が外漏れし、音質が悪くなることが、その主要な欠点であった。
【課題を解決するための手段】
【０００５】
上述の周知のイヤホン構造の欠点を鑑み、本発明者は積極的に研究開発を重ね、一種のイヤホンのイヤーピースを提供し、それは、
出音端と入音端を具えてイヤホンの音筒部に嵌合された中空管体と、
該管体の出音端に延設されて外耳道に挿入される外カバーと、
該管体の出音端に設けられる緩衝部と、
を包含する。
【発明の効果】
【０００６】
本発明は該緩衝部の有効設計により、着用時にねじれ変形しやすく、各種の異なる外耳道のサイズと形状に適合可能で、装着感を良好とし、外耳道の圧迫感を減らし、空隙を発生せず聴取品質を高めることができる。
【図面の簡単な説明】
【０００７】
【図１】本発明の立体図である。
【図２】本発明の断面図である。
【図３】本発明の動作図の一である。
【図４】本発明の動作図の二である。
【図５】本発明の動作図の三である。
【図６】本発明の別の構造立体図である。
【図７】本発明の別の構造実施例及び動作図の一である。
【図８】本発明の別の構造実施例及び動作図の二である。
【図９】周知のイヤホンの断面図である。
【発明を実施するための形態】
【０００８】
本発明の技術内容、構造特徴、達成する目的を詳細に説明するため、以下に実施例を挙げ並びに図面を組み合わせて説明する。
【０００９】
図１、２に示されるように、本発明のイヤホンのイヤーピース２は、クラゲ形を呈する軟質ゴム材質のイヤホンのイヤーピース２とされ、それは、
入音端２１１と出音端２１２を具え、該入音端２１１中に係止環状溝２１３が設けられた中空管体２１と、
該中空管体２１の出音端２１２より後方に延設されてカバー状を呈する弾性体とされ、円弧状或いは傘状とされる外カバー２２と、
該中空管体２１の出音端２１２に設けられた外環状溝２３１とされ、該外環状溝２３１の緩衝高さａは１．０〜２．０ｍｍとされる緩衝部２３と、
を包含し、上述の構成要件を包含してなるイヤーピース２であって、その高さは６〜８ｍｍとされる。
【００１０】
図３〜図５に示されるように、イヤーピース２は、流線顆粒状のイヤホン本体１に嵌合され、該イヤホン本体１の側辺に外向きに音筒部１１が延設され、且つ音筒部１１は凸環１１１を有し、該凸環１１１が入音端２１１の係止環状溝２１３に係合される。イヤーピース２が耳朶に装着される時、図４、５に示されるように、全体のイヤーピース２の高さが６〜１０ｍｍとされ、並びに外環状溝２３１を有する緩衝高さａが１．０から２．０ｍｍとされ（図２のとおり）、さらに外カバー２２が設計上、全体の中空管体２１をカバーすることから、湾曲効果が３６０度で表示されるなら、その緩衝部２３は応用受力時に２辺の波形曲張効果により、有効な湾曲角度θが０〜４０度の間とされ、イヤーピース２着用時に容易にねじれ変形し、緩衝と湾曲効果を発生する。これにより、適度に各種の異なる外耳道３のサイズと形状に緊密にフィットし、着用感を良好とし、外耳道３の圧迫感を減らし、また緊密に着用されて空隙を発生しにくく、これにより聴取品質をアップできる。
【００１１】
次に、図６から図８に示されるように、本発明のイヤホンのイヤーピース２の別の実施例によると、その緩衝部２３は断面が短く切り取った波形とされて、中空管体２１の出音端２１２に設けられ並びに入音端２１１に隣接し、それは、互いに隣接する内環状溝２３２と外環状溝２３１を包含する。該内環状溝２３２は第１内環状溝２３２１或いは第２内環状溝２３２２とされるか、或いは、第１内環状溝２３２１と第２内環状溝２３２２で構成され、外環状溝２３１の緩衝高さａは０．５〜１．５ｍｍとされ、且つ外環状溝２３１の内径は中空管体２１の内径より小さく、これにより、比較的大きな外環状溝２３１幅が形成されている。緩衝部２３は少なくとも一対の、互いに隣接する内環状溝２３２（第１内環状溝２３２１及び第２内環状溝２３２２）と外環状溝２３１で構成され、並びに外環状溝２３１が比較的大きな幅を形成させられ、外環状溝２３１の緩衝高さａは０．５〜１．５ｍｍとされることにより、イヤーピース２着用時にさらに容易にねじれ変形し、有効な湾曲角度θは０〜４０度とされることで、良好な緩衝と湾曲効果を形成し、各種の異なる外耳道３のサイズと形状に緊密にフィットし、外耳道３に対する圧迫感を減らし並びに聴取品質をアップする。
【００１２】
以上述べたことは、本発明の実施例にすぎず、本発明の実施の範囲を限定するものではなく、本発明の特許請求の範囲に基づきなし得る同等の変化と修飾は、いずれも本発明の権利のカバーする範囲内に属するものとする。
【００１３】
まとめると、本発明は空間形態上、確実に新規な創作であり、並びに周知の物品に対して上述の多項の作用効果が達成され、十分に新規性と進歩性の特許の要件に符合している。
【符号の説明】
【００１４】
１  イヤホン本体              １１  音筒部
１１１  凸環                  ２  イヤーピース
２１  中空管体                ２１２  出音端
２１１  入音端                ２１３  係止環状溝
２２  外カバー                ２３  緩衝部
２３１  外環状溝              ２３２  内環状溝
２３２１  第１内環状溝        ２３２２  第２内環状溝
３  外耳道
ａ  緩衝高さ                  θ  湾曲角度
【図１】
0005669708.tif 000002
【図２】
0005669708.tif 000003
【図３】
0005669708.tif 000004
【図４】
0005669708.tif 000005
【図５】
0005669708.tif 000006
【図６】
0005669708.tif 000007
【図７】
0005669708.tif 000008
【図８】
0005669708.tif 000009
【図９】
0005669708.tif 000010